(57)【特許請求の範囲】
【請求項１】
タイムカードを挿入するカード挿入口を有するタイムレコーダ本体と、このタイムレコーダ本体内に設けられ前記カード挿入口から挿入されたタイムカードに時刻を記録する記録手段とを備えたタイムレコーダであって、
前記タイムレコーダ本体に着脱自在に装着する装着ユニットを設け、
前記装着ユニットに、時間を計時する計時手段と、標準時刻電波を受信する時刻電波受信手段と、前記時刻電波受信手段が受信する標準時刻電波に基づいて前記計時手段の時刻を修正する制御装置と、前記計時手段の時刻を表示する表示器と、前記計時手段と前記時刻電波受信手段と前記制御装置と前記表示器とに電源を供給する電源供給手段とを備え、
前記装着ユニットが前記タイムレコーダに装着されている状態で、前記カード挿入口から挿入された前記タイムカードに修正された時刻が記録されることを特徴とするタイムレコーダ。
【発明の詳細な説明】
【０００１】
【発明の属する技術分野】
この発明は、タイムカードに出社時間や退社時間等を記録するタイムレコーダに関する。
【０００２】
【従来の技術】
従来から、タイムカードを挿入するカード挿入口を有するタイムレコーダ本体と、このタイムレコード本体内に設けられ前記カード挿入口から挿入されたタイムカードに時刻を印字する印字手段とを備えたタイムレコーダが知られている。
【０００３】
かかるタイムレコーダは、時間を計時する計時手段を備えており、この計時手段の計時による時刻を表示器に表示するとともにタイムカードに印字するものである。
【０００４】
ところが、計時手段の計時誤差により時刻に誤差が生じ、タイムカードに正確な時刻を印字することができなくなる。この誤差を解消するために電波時計を搭載したタイムレコーダが考えられている。
【０００５】
【発明が解決しようとする課題】
しかしながら、タイムレコーダは室内に設置されることが多く、設置される場所により標準時刻の電波受信に支障が生ずることがある。また、家電機器が近傍にあるとその家電機器からのノイズの影響を受けて標準時刻電波を受信することができなくなるという問題があった。このため、標準時刻電波によって時刻を修正する場合、近傍に家電機器のない窓際にタイムレコーダを移動させる等の対応が必要であった。しかしながら、移動先での設置スペースや利用者の移動先での使い勝手などの点で問題があった。
【０００６】
この発明は、上記事情に鑑みてなされたもので、その目的は、タイムレコーダの設置について、標準時刻電波の受信を考慮する必要のない標準時刻電波受信機能を持ったタイムレコーダを提供することにある。
【０００７】
【課題を解決するための手段】
上記目的を達成するため、請求項１の発明は、タイムカードを挿入するカード挿入口を有するタイムレコーダ本体と、このタイムレコーダ本体内に設けられ前記カード挿入口から挿入されたタイムカードに時刻を記録する記録手段とを備えたタイムレコーダであって、
前記タイムレコーダ本体に着脱自在に装着する装着ユニットを設け、
前記装着ユニットに、時間を計時する計時手段と、標準時刻電波を受信する時刻電波受信手段と、前記時刻電波受信手段が受信する標準時刻電波に基づいて前記計時手段の時刻を修正する制御装置と、前記計時手段の時刻を表示する表示器と、前記計時手段と前記時刻電波受信手段と前記制御装置と前記表示器とに電源を供給する電源供給手段とを備え、
前記装着ユニットが前記タイムレコーダに装着されている状態で、前記カード挿入口から挿入された前記タイムカードに修正された時刻が記録されることを特徴とする。
【０００９】
【発明の実施の形態】
以下、この発明に係わるタイムレコーダの実施の形態を図面に基づいて説明する。
【００１０】
図１および図２において、１はタイムレコーダのレコーダ本体（タイムレコーダ本体）であり、このレコーダ本体１の上面１Ａの前側にはカード挿入口２が設けられている。この挿入口２の後方には上方に突出した膨出部３が形成され、この膨出部３には上部から下方へ窪むとともに前後に貫通した凹部４が形成されている。この凹部４には膨出部３の前面３Ａおよび後面３Ｂと面一となる前面５Ａおよび後面５Ｂを有する装着ユニット５が着脱自在に装着されている。
【００１１】
この装着ユニット５の前面５Ａには時刻などを表示する表示器６が設けられており、装着ユニット５の底面には雌コネクタ７が設けられている。また、装着ユニット５の上部には標準時刻電波を受信するアンテナ８が設けられている。
【００１２】
装着ユニット５内には、図３に示すように、アンテナ８が受信した標準時刻電波から時刻データを検波する時刻電波受信回路（時刻電波受信手段）１０と、時間を計時して時刻を決める時計回路（計時手段）１２と、前記時刻データに基づいて時計回路１２の時刻を修正したり表示器６の表示制御やその他の制御等を行ったりする制御装置１３とが設けられている。この制御装置１３はＣＰＵ等から構成されている。また、装着ユニット５には図示しない充電池が内蔵されている。
【００１３】
レコーダ本体１の凹部４には装着ユニット５の雌コネクタ７に接続される雄コネクタ１５が設けられている。
【００１４】
レコーダ本体１内には、カード挿入口２に挿入されたタイムカード１６を検知するカードセンサ２０と、カード挿入口２に挿入されたタイムカード１６を所定位置まで引き込む駆動モータ２１と、この駆動モータ２１によって引き込まれたタイムカード１６に時刻を印字する印字ヘッド（記録手段）２２と、この印字ヘッド２２を駆動させるドライバ２３と、駆動モータ２１を駆動させるドライバ２４と、制御プログラムを記憶したＲＯＭ２５と、時刻データ等を記憶するＲＡＭ２６等とが設けられている。
【００１５】
そして、カードセンサ２０とドライバ２３,２４とＲＯＭ２５とＲＡＭ２６とがコネクタ７,１５を介して装着ユニット５の制御装置１３に接続されている。
【００１６】
次に、上記の様に構成されたタイムレコーダの動作を説明する。
【００１７】
図示しない電源を投入すると、制御装置１３はＲＯＭ２５から制御プログラムを読み込み、この読み込んだ制御プログラムに従って制御動作を開始する。すなわち、カードセンサ２０の検知に基づいてタイムカード１６がカード挿入口２に挿入されたか否かを制御装置１３が判断し、タイムカード１６が検出されなければ待機することになる。他方、時計回路１２が計時する時刻が表示器６に表示される。
【００１８】
制御装置１３は、カードセンサ２０の検知に基づいてカード挿入口２にタイムカード１６が挿入されたと判断すると、ドライバ２４を制御して駆動モータ２１を駆動させ、この駆動モータ２１の駆動によりタイムカード１６を所定位置まで引き込ませる。そして、制御装置１３は、ドライバ２３を制御して印字ヘッド２２を駆動させ、この印字ヘッド２２の駆動により表示器６に表示されている時刻をタイムカード１６に印字させる。この後、タイムカード１６を排出させる。
【００１９】
このタイムレコーダを使用しない時間になったら装着ユニット５をレコーダ本体１から外し、この装着ユニット５を標準時刻電波を確実に受信することのできる窓際などに置く。所定の時刻になると、制御装置１３は時刻電波受信回路１０を動作させ、時刻電波受信回路１０はアンテナ８が受信した標準時刻電波から時刻データを検波する。制御装置１３は検波によって得られた時刻データに基づいて時計回路１２の時刻を修正するとともに表示器６に表示されている時刻を修正する。
【００２０】
装着ユニット５がレコーダ本体１から外されているとき、充電池から時刻電波受信回路１０,時計回路１２,制御装置１３,表示器６等へ電源が供給される。
【００２１】
そして、翌朝、すなわちタイムレコーダが使用される前に装着ユニット５をレコーダ本体１に装着させる。装着ユニット５がレコーダ本体１に装着されているとき、充電池は充電される。そして、タイムカード１６がカード挿入口２に挿入されると、上記と同様にして、タイムカード１６に表示器６に表示されている時刻が印字される。表示器６の時刻は修正されているので、常に正確な時刻をタイムカード１６に印字することができることになる。
【００２２】
このように、標準時刻電波によって時刻を補正する場合、装着ユニット５をレコーダ本体１から外してこの装着ユニット５だけを所定位置へ持ち運んでいけばよいので、レコーダ本体１を持ち運ぶ必要がない。このため、その持ち運びが楽なものであり、非常に使用勝手のよいものとなり、標準時刻電波の受信を考慮することなくタイムレコーダーを設置することができることになる。
【００２３】
上記実施形態では、表示器６や制御装置１３を装着ユニット５に設けているが、これらをレコーダ本体１に設けてもよいことは勿論である。また、タイムカード１６に時刻を印字するタイムレコーダについて説明したが、タイムカードに時刻などを磁気で記録させる磁気ヘッドを備えたタイムレコーダ等であってもよい。
【００２４】
【発明の効果】
この発明によれば、タイムレコード本体を窓際に持ち運ぶ必要がなく、装着ユニットだけを持ち運べばよいので、その持ち運びが楽なものであり、非常に使用勝手のよいものとなり、標準時刻電波の受信を考慮することなくタイムレコーダーを設置することができることになる。
【図面の簡単な説明】
【図１】この発明に係るタイムレコーダの外観を示した斜視図である。
【図２】レコード本体から装着ユニットを取り外した状態を示した説明図である。
【図３】タイムレコーダの制御系の構成を示したブロック図である。
【符号の説明】
１          レコーダ本体（タイムレコーダ本体）
５          装着ユニット
１０          時刻電波受信回路（時刻電波受信手段）
１２          時計回路（計時手段）
１６          タイムカード
２２          印字ヘッド（記録手段）
【図１】
0004089117.tif 000002
【図２】
0004089117.tif 000003
【図３】
0004089117.tif 000004